(57)【要約】【課題】雨天時に使用した防水シートの収納時に、筐体内に収納した機器を濡らすことがない屋外用機器収容筐体を提供する。【解決手段】防水シート３は、２枚の扉２ａ、２ｂを両開きした時に、筐体１と２枚の扉２ａ、２ｂとで形成された四角形状の平面に張られ、扉２ａ、２ｂを閉じた時に扉２ａ、２ｂの合わせ位置で三角形状となる頂点ｂがくるように収納される。棒状錘５ａ、５ｂは、開放端側の辺ａ−ｃの中間点ｂとキュービクル１の開口部側の辺ｅ−ｆの両端ｅ、ｆから長さＬだけ離れたそれぞれの点ｄおよび点ｇとを結ぶ２つの線ｂ−ｄ、ｂーｇに組み込まれている。排水管６および排水口７は、防水シート３の三角形状となる頂点位置の直下に設けられている。【選択図】　　　図１
2004128152.tif 000002
【特許請求の範囲】
【請求項１】
左右に両開きする２枚の扉を有する屋外用機器収容筐体において、前記２枚の扉を両開きした時に該筐体と両開きした前記２枚の扉とで形成された四角形状の平面に張られ、前記２枚の扉を閉じた時に前記２枚の扉の合わせ位置で三角形状となる頂点がくるように収納される防水シートを備えることを特徴とする屋外用機器収容筐体。
【請求項２】
前記２枚の扉は、幅Ｗが同一であり、高さが前記幅Ｗより長いことを特徴とする請求項１記載の屋外用機器収容筐体。
【請求項３】
前記防水シートは、幅および奥行きがそれぞれ２ＷおよびＷを上回る寸法であることを特徴とする請求項１又は２記載の屋外用機器収容筐体。
【請求項４】
前記防水シートは、四角形状の一辺が前記筐体の開口部の上部内側に取り付けられ、他辺の両端が前記２枚の扉の開放端最上部から長さＤだけ下の位置にそれぞれ取り付けられることを特徴とする請求項１、２又は３記載の屋外用機器収容筐体。
【請求項５】
前記防水シートは、前記２枚の扉を閉じた時の合わせ位置と、前記筐体への取り付け部から長さＬだけ離れた位置を結ぶ２つの線に２つの棒状錘がそれぞれ組み込まれていることを特徴とする請求項１、２、３又は４記載の屋外用機器収容筐体。
【請求項６】
前記防水シートは、撥水性または耐水性の材料で柔軟性のある布か、または丈夫なビニールシートであり、前記棒状錘は前記防水シートが張られた時に窪みを形成するに足る重さを有することを特徴とする請求項１、２、３、４又は５記載の屋外用機器収容筐体。
【請求項７】
前記２枚の扉は、開閉の順が決められ、後に開き且つ先に閉じる左側（または右側）の扉が閉じられたときに、前記防水シートが三角形状となるように収納され、三角形状の頂点の位置を固定する手段と前記三角形状の頂点の直下に位置し前記防水シートに付着した水滴を外部へ排出するための排水手段とが前記左側（または右側）の扉に設けられることを特徴とする請求項１乃至６のいずれか記載の屋外用機器収容筐体。
【請求項８】
前記２枚の扉は、開閉の順が決められ、後に開き且つ先に閉じる左側（または右側）の扉に、三角形状となる前記防水シートの頂点が前記左側（または右側）の扉の開放端に寄せられる磁気結合手段と、前記三角形状の頂点の直下に位置し前記防水シートに付着した水滴を外部へ排出するための排水手段とが設けられることを特徴とする請求項１乃至６のいずれか記載の屋外用機器収容筐体。
【発明の詳細な説明】
【０００１】
【発明の属する技術分野】
本発明は屋外用機器収容筐体に関し、特に屋外に設置されて種々の機器を収容する防雨手段を備えた屋外用機器収容筐体に関する。
【０００２】
【従来の技術】
従来よりこの種の屋外用機器収容筐体は、左右２枚の両開きする扉を有し、筐体の上部内側に防水シートが引き出し可能に収納されている。また、左右２枚の扉の内側上端部には保持金具がそれぞれ設けられ、防水シートの引き出し側の端部には、保持金具に係止する係止部を有する支持金具が取り付けられている（例えば、特許文献１参照。）。
【０００３】
使用時には、２つの扉を開き防水シートを引き出して、防水シートの両端の係止部をそれぞれの扉の内側上端部にある保持金具に係合固定することにより、風雨を防いで作業を行うことができる。また、作業が終了した場合には、防水シートの両端の係止部を保持金具から外すことにより、巻き取り機構で巻き取られて収納される構成となっている。
【０００４】
しかしながら、従来の屋外用機器収容筐体は、防水シートを濡れたまま屋外用筐体内部に収容すると、筐体内部に収容した各種機器が水滴により故障等を招く恐れがある。
【０００５】
【特許文献１】
特開昭５９−２２８７９０号公報
【０００６】
【発明が解決しようとする課題】
上述した従来の屋外用機器収容筐体は、防水シートを濡れたまま屋外用筐体内部に収容する場合には、付着した水滴が筐体内部で飛散するため、収容した各種機器が故障を招く恐れがあるなどの欠点がある。
【０００７】
本発明の目的は、このような従来の欠点を除去するため、左右２枚の扉を両開きした時に、筐体と両開きした２枚の扉とで形成された四角形状の平面に張られた防水シートが、左右２枚の扉を閉めた時に、防水シートの上面に付着した水滴を２枚の扉の合わせ位置で、扉の直内側に集まるように収納されることにより、付着した水滴が筐体内部で飛散することがなく、迅速な作業が行える屋外用機器収容筐体を提供することにある。
【０００８】
【課題を解決するための手段】
本発明の屋外用機器収容筐体は、左右に両開きする２枚の扉を有する屋外用機器収容筐体において、前記２枚の扉を両開きした時に該筐体と両開きした前記２枚の扉とで形成された四角形状の平面に張られ、前記２枚の扉を閉じた時に前記２枚の扉の合わせ位置で三角形状となる頂点がくるように収納される防水シートを備えることを特徴としている。
【０００９】
また、前記２枚の扉は、幅Ｗが同一であり、高さが前記幅Ｗより長いことを特徴としている。
【００１０】
また、前記防水シートは、幅および奥行きがそれぞれ２ＷおよびＷを上回る寸法であることを特徴としている。
【００１１】
また、前記防水シートは、四角形状の一辺が前記筐体の開口部の上部内側に取り付けられ、他辺の両端が前記２枚の扉の開放端最上部から長さＤだけ下の位置にそれぞれ取り付けられることを特徴としている。
【００１２】
また、前記防水シートは、前記２枚の扉を閉じた時の合わせ位置と、前記筐体への取り付け部から長さＬだけ離れた位置を結ぶ２つの線に２つの棒状錘がそれぞれ組み込まれていることを特徴としている。
【００１３】
また、前記防水シートは、撥水性または耐水性の材料で柔軟性のある布か、または丈夫なビニールシートであり、前記棒状錘は前記防水シートが張られた時に窪みを形成するに足る重さを有することを特徴としている。
【００１４】
また、前記２枚の扉は、開閉の順が決められ、後に開き且つ先に閉じる左側（または右側）の扉が閉じられたときに、前記防水シートが三角形状となるように収納され、三角形状の頂点の位置を固定する手段と前記三角形状の頂点の直下に位置し前記防水シートに付着した水滴を外部へ排出するための排水手段とが前記左側（または右側）の扉に設けられることを特徴としている。
【００１５】
また、前記２枚の扉は、開閉の順が決められ、後に開き且つ先に閉じる左側（または右側）の扉に、三角形状となる前記防水シートの頂点が前記左側（または右側）の扉の開放端に寄せられる磁気結合手段と、前記三角形状の頂点の直下に位置し前記防水シートに付着した水滴を外部へ排出するための排水手段とが設けられることを特徴としている。
【００１６】
【発明の実施の形態】
次に、本発明の実施の形態について図面を参照して詳細に説明する。図１は、本発明の屋外用機器収容筐体の一つの実施の形態を示す全体斜視図である。
【００１７】
図１に示す本実施の形態は、種々の機器を収容する筐体（キュービクル）１と、キュービクル１の前面または背面に設けられた左右２枚の両開きする扉２ａ、２ｂと、扉２ａ、２ｂの開閉に応じて展開／収納される防水シート３と、防水シート３の水捌けを促す棒状錘５ａ、５ｂとより構成されている。
【００１８】
次に、本実施の形態の屋外用機器収容筐体の構成を図１、図２を参照して詳細に説明する。図２は、防水シートを展開したときの平面図である。
【００１９】
キュービクル１は、例えば、移動体通信システムの無線基地局装置を屋外に設置する際に収容するものとして使うことができる。図７は、アンテナ１１と、キュービクル（局舎）１に収納された無線基地局用装置とアンテナ１１とを結ぶ給電線１２などから構成される無線基地局装置を示している。
【００２０】
キュービクル１の扉２ａ、２ｂは、高さＨ、幅Ｗの大きさである。また、扉２ａ、２ｂは開いた状態で固定されるよう、開閉起点の下側に金具４ａ、４ｂが取り付けられている。この金具４ａ、４ｂは、例えば９０度の角度で扉２ａ、２ｂを固定し、閉めるときは収納される。
【００２１】
防水シート３は、四角形状の一辺がキュービクル１の開口部の上部内側に取り付けられ、他辺の両端が開放された扉２ａ、２ｂの開放端最上部から長さＤだけ下の位置でそれぞれが取り付けられている。すなわち、図１に示すように、ａ−ｃ−ｅ−ｆからなる四角形の一辺ｅ−ｆがキュービクル１の開口部の上部内側に取り付けられ、他辺の両端ａ、ｃが開放された扉２ａ、２ｂの開放端最上部から長さＤだけ下の位置でそれぞれ取り付けられている。
【００２２】
また、防水シート３は、奥行きがＷ、幅が２Ｗを上回る寸法であり、開放端側の辺ａ−ｃの中間点ｂ、すなわち扉２ａ、２ｂを閉じた時の合わせ位置と、キュービクル１の開口部側の辺ｅ−ｆの両端ｅ、ｆから長さＬだけ離れたそれぞれの点ｄおよび点ｇとを結ぶ２つの線ｂ−ｄ、ｂーｇに棒状の棒状錘５ａ、５ｂがそれぞれ組み込まれている。
【００２３】
棒状錘５ａ、５ｂは互いは接続されていない。また、防水シート３は辺ｅ−ｆをキュービクル１に取り付ける際、点ｄ、点ｇでは扉２ａ、２ｂには固定されていない。したがって、防水シート３は辺ｅ−ｆでキュービクル１に固定され、点ａおよび点ｃで扉２ａ、２ｂのそれぞれに固定される。また、棒状錘５ａ、５ｂの適度の重さにより、キュービクル１の開口部側の辺ｅ−ｆから辺ａ−ｃの中間点ｂに向かって窪みが形成される。すなわち、防水シート３は窪みが形成されるように、奥行き、幅の寸法が決められている。
【００２４】
ここで、防水シート３は撥水性または耐水性の材料で柔軟性のある布か、または丈夫なビニールシートであり、また、棒状の棒状錘５ａ、５ｂはある程度重量があって腐食しにくいものが望ましい。
【００２５】
なお、図２には防水シート３をキュービクル１および扉２ａ、２ｂに取り付けるための取り付け穴や、突起物などが省略されている。
【００２６】
次に、２枚の扉を左右に両開きしたときの作用について説明する。
【００２７】
キュービクル１の扉２ａ、２ｂがそれぞれ９０度で両開きされた場合、防水シート３は奥行き、幅が扉２ａ、２ｂの幅に対して、大きめに作成されているため、多少の撓みが生じる。この時、防水シート３は、辺ａ−ｃの両端ａ、ｃが扉２ａ、２ｂの開放端最上部から長さＤだけ下の位置で固定され、更に、２つの線ｂ−ｄ、ｂーｇに棒状の棒状錘５ａ、５ｂがそれぞれ組み込まれているので、棒状錘５ａ、５ｂの重さによりキュービクル１の開口部側の辺ｅ−ｆから辺ａ−ｃの中間点ｂに向かって窪みの度合いが大きくなる。したがって、雨が降った場合には、雨水が防水シート３上に溜まることなく点ｂに集められて流れ落ちることができる。
【００２８】
次に、扉を開いた状態から閉じる手順を図面を参照して説明する。図３は、扉を両開きした状態から閉じる要領を示す図であり、図４は、キュービクルの扉を完全に閉じた状態を示す図である。
【００２９】
キュービクル１の扉２ａ、２ｂを閉じるときは、図３に示すように、防水シート３の点ｂを押し下げるように閉じていく。この時、防水シート３の線ｂ−ｄ、ｂ−ｇに組み込まれた棒状錘５ａ、５ｂに適度の重量を与えることにより、扉２ａ、２ｂを閉じるとともに防水シート３を容易に収納することができる。
【００３０】
キュービクル１の扉２ａ、２ｂを閉めた時は、図４に示すように、防水シート３が三角形状となってキュービクル１の扉２ａ、２ｂの内側に収納される。
【００３１】
この時、防水シート３が雨で濡れていると、キュービクル１の内部が水浸しになってしまう可能性がある。これを避けるため、扉２ａ、２ｂを開けるときは、例えば、扉２ｂから開け、閉じるときは扉２ａから閉じる構造とし、さらに扉２ａの開放端の下の方で点ｂからの排水が行われるように排水管６と排水口７とを設ける。
【００３２】
図５は、排水構造の取り付け状態を示す図であり、図６は、排水構造の横断面を示す図である。
【００３３】
図６によると、防水シート３を三角形状に収納したときの頂点となる点ｂの直下に位置する広口の排水管６と、排水管６に接続されキュービクル１の外部に排水する排水口７と、防水シート３の点ｂが排水管６の直上にくるように、防水シート３と扉２ａとに取り付けられた磁石または磁性体８ａ、８ｂとが具備されている。
【００３４】
以上の構成により、扉２ａ、２ｂを閉じるときは、両扉を除々に閉じながら扉２ａを先に閉ざし、必要により、防水シート３の扉２ｂ側の点ｃの止め具を点ａに掛け替えて、防水シート３の三角形状となる頂点ｂに取り付けられた磁石または磁性体８ａを扉２ａに取り付けられた磁石または磁性体８ｂに合わせて固定する。この場合、扉２ｂは、防水シート３が外されたことにより自由に開閉できるため、防水シート３の点ｂと排水管６の位置関係を確認することができる。
【００３５】
また、止め具の掛け替えをしない場合に、防水シート３の三角形状となる頂点ｂと排水管６との位置が多少ずれたとしても、磁石または磁性体８ａ、８ｂにより引き寄せることができるため、防水シート３の扉２ｂ側の点ｃの止め具を点ａに掛け替える作業を省くことができる。
【００３６】
この様にして、防水シート３が雨で濡れた状態でキュービクル１の内部に収納されても水滴は排水管６と排水口７によりキュービクル１の内部に溜まることなく外部に排水することができる。
【００３７】
また、防水シート３のｂ点近傍と、閉じた時にｂ点近傍に対応する扉２ａとに磁石８ａ、８ｂを取り付けることにより、扉２ａ、２ｂを閉めたときに確実に排水管６の上に防水シート３のｂ点を固定でき、確実に防水シート３の水滴を外部に排水することができる。
【００３８】
さらに、扉２ａ、２ｂを開けるときは扉２ｂから開け、閉じるときは扉２ａから閉じる構造とすることで扉２ａ、２ｂを閉じる際に防水シート３の固定を確認することができる。
【００３９】
【発明の効果】
以上説明したように、本発明の屋外用機器収容筐体によれば、２枚の扉を両開きした時に筐体と両開きした２枚の扉とで形成された四角形状の平面に張られ、２枚の扉を閉じた時に２枚の扉の合わせ位置で三角形状となるように収納される防水シートの頂点の位置に、排水構造を設けることにより、以下の効果が得られる。
【００４０】
第１の効果は、雨天時にもキュービクル内の機器を濡らすことなく作業を行うことができ、防水シートを収納する時に、キュービクル内に収納した機器を濡らすことなく扉を閉めて作業を終わらせることができることである。
【００４１】
第２の効果は、防水シートを筐体内に収納するため、耐久性等もそれほど必要でなく安価に実現できることである。
【図面の簡単な説明】
【図１】本発明の屋外用機器収容筐体の一つの実施の形態を示す全体斜視図である。
【図２】防水シートを展開したときの平面図である。
【図３】扉を両開きした状態から閉じる要領を示す図である。
【図４】キュービクルの扉を完全に閉じた状態を示す図である。
【図５】排水構造の取り付け状態を示す図である。
【図６】排水構造の横断面を示す図である。
【図７】本発明の屋外用機器収容筐体を移動体通信システムの無線基地局装置に用いた全体図である。
【符号の説明】
１　　キュービクル
２ａ、２ｂ　　扉
３　　防水シート
４ａ、４ｂ　　金具
５ａ、５ｂ　　棒状錘
６　　排水管
７　　排水口
８ａ、８ｂ　　磁石
１１　　アンテナ
１２　　給電線
【図１】
2004128152.tif 000003
【図２】
2004128152.tif 000004
【図３】
2004128152.tif 000005
【図４】
2004128152.tif 000006
【図５】
2004128152.tif 000007
【図６】
2004128152.tif 000008
【図７】
2004128152.tif 000009